(57)【要約】【課題】本体ケース部を確実に支持できる電気ストーブを提供する。【解決手段】ヒータ２を備えた本体ケース部３と、支柱７と、支柱７を支持するベース部９と、本体ケース部３を支持する首振り機構部５と、該首振り機構部５を上部に取り付ける支柱固定板カバー２７と、支柱７の上端に固定され支柱固定板カバー２７と係合する支柱固定板２８とを備えた電気ストーブに於いて、支柱固定板カバー２７の下方に下突起部４０を形成し、支柱固定板２８の上方に下突起部４０と接する上突起部４７を形成し、支柱固定板２８の上突起部４７の真下に支柱７の縁が位置するように設けたので、本体ケース部３の重量は、下突起部４０から上突起部４７に掛かり、更に上突起部４７から支柱７の厚み部分の縁に掛かり、支柱７の一番強度の高い厚み部分の縁で本体ケース部３の重量を支えることができる。【選択図】  図６
2022001801.tif 000002
【特許請求の範囲】
【請求項１】
ヒータを備えた本体ケース部と、支柱と、支柱を支持するベース部と、本体ケース部を支持する首振り機構部と、該首振り機構部を上部に取り付ける支柱固定板カバーと、支柱の上端に固定され支柱固定板カバーと係合する支柱固定板とを備えた電気ストーブに於いて、支柱固定板カバーの下方に下突起部を形成し、支柱固定板の上方に下突起部と接する上突起部を形成し、支柱固定板の上突起部の真下に支柱の縁が位置するように設けたことを特徴とする電気ストーブ。
【請求項２】
支柱は中空円筒状の管体で、上端に支柱固定板を固定するネジと係合する支柱係合部を設け、支柱固定板の下部には差し込まれる支柱の上端を受ける断面逆Ｕ字状の支柱差込部を設けると共に、支柱固定板の上部には支柱固定部を固定するネジと係合する支柱固定板カバー固定ネジ受け部を設けたことを特徴とする請求項１記載の電気ストーブ。
【発明の詳細な説明】
【技術分野】
【０００１】
この発明は、電気ストーブに関するものである。
【背景技術】
【０００２】
従来よりこの種のものに於いては、例えば、ヒータを備えた本体ケース部と支持部とからなり、前記支持部は本体ケース部を回転自在に支持すると共に本体ケース部の首振りを行う首振り機構部と、該首振り機構部を覆うカバー部と、前記首振り機構部と該首振り機構部を支持する支柱の一端とが固定される支柱固定部と、前記支柱の他端が固定されて支柱を支持するベース部から構成されていた。
【０００３】
そして前記支柱は、金属製の略四角柱状の管体であり、他端がベース部内に挿入されて固定され、一端にはねじ切りされた支柱固定板固定孔が正面側と背面側に設けられており、その支柱の一端を支柱固定板の支柱差込部に差し込み、該支柱差込部の正面側と背面側に設けられている支柱固定板固定用孔からネジ（図示せず）を差し込んで係合させ、支柱の一端に支柱固定板を固定していた。（例えば、特許文献１参照）
【先行技術文献】
【特許文献】
【０００４】
【特許文献１】特開２０１０−９１２１１号公報
【発明の概要】
【発明が解決しようとする課題】
【０００５】
ところでこの従来のものでは、支柱固定板を水平方向からネジにて支柱の一端に固定していたため、固定しているネジに本体ケース部の重量が掛かり、重量のある本体ケース部を手動で向きを変えたり、自動首振り運転をさせたとき、本体ケース部の位置によっては固定しているネジに大きな荷重が掛かってしまうという問題があった。
【課題を解決するための手段】
【０００６】
本発明は上記課題を解決するために、請求項１の電気ストーブでは、ヒータを備えた本体ケース部と、支柱と、支柱を支持するベース部と、本体ケース部を支持する首振り機構部と、該首振り機構部を上部に取り付ける支柱固定板カバーと、支柱の上端に固定され支柱固定板カバーと係合する支柱固定板とを備えた電気ストーブに於いて、支柱固定板カバーの下方に下突起部を形成し、支柱固定板の上方に下突起部と接する上突起部を形成し、支柱固定板の上突起部の真下に支柱の縁が位置するように設けたものである。
【０００７】
また、請求項２の電気ストーブでは、支柱は中空円筒状の管体で、上端に支柱固定板を固定するネジと係合する支柱係合部を設け、支柱固定板の下部には差し込まれる支柱の上端を受ける断面逆Ｕ字状の支柱差込部を設けると共に、支柱固定板の上部には支柱固定部を固定するネジと係合する支柱固定板カバー固定ネジ受け部を設けたものである。
【発明の効果】
【０００８】
この発明の請求項１によれば、支柱固定板カバーの下方に下突起部を形成し、支柱固定板の上方に下突起部と接する上突起部を形成し、支柱固定板の上突起部の真下に支柱の縁が位置するように設けたので、本体ケース部の重量は、下突起部から上突起部に掛かり、更に上突起部から支柱の厚み部分の縁に掛かり、支柱の一番強度の高い厚み部分の縁で本体ケース部の重量を支えることができるものである。
【０００９】
また、請求項２によれば、支柱は中空円筒状の管体で、上端に支柱固定板を固定するネジと係合する支柱係合部を設け、支柱固定板の下部には差し込まれる支柱の上端を受ける断面逆Ｕ字状の支柱差込部を設けると共に、支柱固定板の上部には支柱固定部を固定するネジと係合する支柱固定板カバー固定ネジ受け部を設けたので、支柱と支柱固定板との係合及び、支柱固定板カバーと支柱固定板との係合は、上から下に向かってネジにて係合するため、ネジには本体ケース部の重量が掛からず、ネジの変形や破損を防止でき、支柱と支柱固定板との係合及び、支柱固定板カバーと支柱固定板との係合を確実にできるものである。
【図面の簡単な説明】
【００１０】
【図１】この発明の一実施形態の電気ストーブを示す斜視図。
【図２】同側面図。
【図３】同カバー部を取り外した状態の側面図。
【図４】同支持部の部品構成図。
【図５】同首振り機構部と支柱固定部の部品構成図。
【図６】同組み付けた支柱と支柱固定板カバーと支柱固定板の要部断面図。
【図７】同支柱固定板カバーの正面図。
【図８】同平面図。
【図９】同底面図。
【図１０】同支柱固定板の正面図。
【図１１】同平面図。
【図１２】同底面図。
【発明を実施するための形態】
【００１１】
１は電気ストーブで、２本のヒータ２を備えた本体ケース部３と支持部４とからなり、前記支持部４は本体ケース部３を回転自在に支持すると共に本体ケース部３の首振りを行う首振り機構部５と、該首振り機構部５を覆うカバー部６と、前記首振り機構部５と該首振り機構部５を支持する中空円筒状の支柱７の一端とが固定される支柱固定部８と、前記支柱７の他端が固定されて支柱７を支持するベース部９から構成されている。
【００１２】
前記本体ケース部３は、上面に操作部１０を設け、該操作部操作部１０は暖房運転のオンオフ及び暖房能力を設定する回転式の運転つまみ１１と、暖房能力をある幅で高低させるゆらぎ運転スイッチ１２と、３０分から１〜３時間まで運転時間を設定できる切りタイマースイッチ１３と、本体ケース部３を首振り動作させる首振りスイッチ１４と、人の存在を検知し、所定時間人が存在しないと出力を下げ、更に所定時間人が存在しないと運転を停止する省エネセンサスイッチ１５を有するものである。
【００１３】
叉前記首振り機構部５は、本体ケース部３を回転自在に支持する回転軸ユニット１６と、正逆回転することにより首振りさせる直流ステッピングモータからなる駆動用モータ１７と、首振り軸１８と、前記回転軸ユニット１６と駆動用モータ１７が固定されるモータ取り付け台１９と、前記駆動用モータ１７の回転を伝達する出力ギア２０と、該出力ギア２０と噛み合う首振りギア２１とを有し、該首振りギア２１は一端に前記出力ギア２０と噛み合うギア部２２を設け、他端には複数の溝からなる溝部２３を設け、略中心には前記首振り軸１８の一端が取り付けられる軸用孔２４を設け、更に前記ギア部２２と軸用孔２４との間に電源コード（図示せず）を保持する中空円筒状のコード保持部２５を立設したものである。
【００１４】
叉前記支柱固定部８は、前記モータ取り付け台１９を載置するモータ取付板カバー２６と、該モータ取付板カバー２６を載置する支柱固定板カバー２７と、該支柱固定板カバー２７を載置すると共に支柱７の上端が差し込まれ、ネジ（図示せず）にて支柱７の上端に固定される支柱固定板２８とからなるものである。
【００１５】
前記支柱固定板カバー２７は断面略逆凹形状の円筒状で、上面２９にはその中心に首振り軸１８が差し込まれる中空円筒状の軸受け部３０が立設され、該軸受け部３０は支柱固定板カバー２７内部まで有底の中空円筒状で、差し込まれた首振り軸１８の先端が突出するように形成されている。
【００１６】
又、支柱固定板カバー２７の上面２９には、軸受け部３０の近傍に電源コードが貫通する中空円筒状のコード受け部３１が立設されている。
【００１７】
又、支柱固定板カバー２７の上面２９で、軸受け部３０を中心にしてコード受け部３１の反対側には、首振りギア２１の溝部２３の溝に係合するラチェットピン３２と該ラチェットピン３２を上方向に付勢するラチェットスプリング３３を挿入する有底状の係合ピン用穴３４を形成した係合ピン部３５を立設している。
【００１８】
又、支柱固定板カバー２７の上面２９には、支柱固定板カバー２７を支柱固定板２８に固定するためのネジ（図示せず）を差し込むための支柱固定板カバー固定孔３６が、軸受け部３０とコード受け部３１と係合ピン部３５とを囲うように四隅に設けたものである。
【００１９】
前記コード受け部３１は、支柱固定板カバー２７の上面２９に立設している部分は、横長の略楕円状の開口部３７が形成され、支柱固定板カバー２７の内部に向かって先細るようにすり鉢状部３８が形成され、該すり鉢状部３８の下方には内径が電源コードの径よりもわずかに大きいコード内包部３９が形成されている。
【００２０】
これにより本体ケース部３を手動で回動させた時、電源コードの上部は首振りギア２１のコード保持部２５が動くため、電源コードの上部はコード保持部２５の動きに合わせて横方向に動くが、開口部３７が横長の略楕円状のため、スムーズに電源コードが動くことができるものである。
【００２１】
又、コード受け部３１の下方のコード内包部３９は、内径が電源コードの径よりもわずかに大きいので、電源コードの上部のように動くことがなく、コード内包部３９より下方にある電源コードのカシメ部（図示せず）は動かず、そのカシメ部の閉端接続子（図示せず）と電源コードが擦れるのを防止できるものである。
【００２２】
又、前記支柱固定板カバー２７の下部には、軸受け部３０を中心にして同心円状の位置に略円弧状に下突起部４０をリブ状に立設している。
又、前記下突起部４０の円弧部分の外径は、支柱７の外径と同じ寸法になるように形成されている。
【００２３】
前記支柱固定板２８は、上部に支柱固定板カバー２７の円筒部分の下部に差し込んで、ネジ（図示せず）にて支柱固定板カバー２７と係合する支柱固定板カバー係合部４１と、下部に差し込まれる支柱７の上端を受ける断面逆Ｕ字状の支柱差込部４２を設け、前記支柱固定板カバー係合部４１は略中央に首振り軸１８の先端部分が挿入される中空状の先端差し込み部４３が設けられている。
【００２４】
又、前記支柱固定板２８の支柱固定板カバー係合部４１には、略中心に設けられた先端差し込み部４３の周りに、支柱７の管内に複数形成された支柱係合部４４と係合するネジ（図示せず）を差し込むための支柱固定板固定孔４５が支柱差込部４２まで貫通して形成され、更に該支柱固定板固定孔４５の周りに、支柱固定板カバー２７の支柱固定板カバー固定孔３６から差し込まれたネジ（図示せず）と係合する支柱固定板カバー固定ネジ受け部４６が複数形成されている。
又、支柱固定板２８の上部には、先端差し込み部４３を中心にして同心円状の位置に略円弧状に上突起部４７をリブ状に立設している。
【００２５】
４８はスリーブで、前記支柱固定板カバー２７の軸受け部３０の有底部分に取り付けられ、軸受け部３０に差し込む前記首振り軸１８の先端部分はねじ切りされていて、平座金４９を挟んで固定用ナット５０と係合することで、首振り軸１８が支柱固定板カバー２７から抜けないように取り付けられるものである。
【００２６】
次に支柱７、首振り軸１８、支柱固定板カバー２７及び支柱固定板２８の組み立てについて説明する。
まず、回転軸ユニット１６と駆動用モータ１７が固定され、出力ギア２０と首振りギア２１とが組み込まれ、軸用孔２４に首振り軸１８の一端が組み込まれたモータ取り付け台１９をモータ取付板カバー２６に固定する。
【００２７】
そして首振り軸１８の一端を、スリーブ４８が組み込まれている支柱固定板カバー２７軸受け部３０に差し込み、軸受け部３０の有底部分から突出した首振り軸１８の一端に平座金４９を組み込み、更に首振り軸１８の先端部分を固定用ナット５０と係合して、モータ取付板カバー２６を支柱固定板カバー２７に組み付ける。
【００２８】
又、支柱固定板２８は、下端がベース部９に固定された支柱７の上端に支柱差込部４２を差し込み、その状態で支柱固定板２８上部から支柱固定板固定孔４５にネジを差し込むと、ネジの先端が支柱固定板固定孔４５から支柱７の管内に複数形成された支柱係合部４４と係合し、支柱固定板２８が支柱７に固定される。
【００２９】
そして、モータ取付板カバー２６が組み付けられた支柱固定板カバー２７を、支柱７に固定された支柱固定板２８の上部に組み付けると、支柱固定板２８の上部が支柱固定板カバー２７の筒状の内部に収納され、その状態で支柱固定板２８上部から支柱固定板カバー固定孔３６にネジを差し込むと、ネジの先端が支柱固定板２８の支柱固定板カバー固定ネジ受け部４６と係合し、支柱固定板カバー２７が支柱固定板２８に固定される。
【００３０】
これで支柱７に支柱固定板カバー２７と支柱固定板２８が組み付けられるが、支柱固定板カバー２７の略円弧状にリブ状に立設している下突起部４０が、支柱固定板２８の略円弧状にリブ状に立設している上突起部４７と係合する。
更に支柱固定板２８の上突起部４７は、円管である支柱７の厚み部分の縁に位置するように形成されている。
【００３１】
これにより、本体ケース部３の重量は、下突起部４０から上突起部４７に掛かり、更に上突起部４７から支柱７の厚み部分の縁に掛かるため、支柱７の一番強度の高い厚み部分の縁で本体ケース部３の重量を支えることができるものである。
【００３２】
更に、上突起部４７及び下突起部４０共、略円弧状に設けたので、本体ケース部３が回動して、本体ケース部３の重量が掛かる位置が変わっても、常に支柱全体に本体ケース部３の重量が掛かって、本体ケース部３の重量を支えることができるものである。
【００３３】
又、支柱７と支柱固定板２８との係合及び、支柱固定板カバー２７と支柱固定板２８との係合は、上から下に向かってネジにて係合するため、ネジには本体ケース部３の重量が掛からず、ネジの変形や破損を防止でき、支柱７と支柱固定板２８との係合及び、支柱固定板カバー２７と支柱固定板２８との係合を確実にできるものである。
【符号の説明】
【００３４】
２  ヒータ
３  本体ケース部
５  首振り機構部
７  支柱
８  支柱固定部
９  ベース部
２７  支柱固定板カバー
２８  支柱固定板
４０  下突起部
４７  上突起部
【図１】
2022001801.tif 000003
【図２】
2022001801.tif 000004
【図３】
2022001801.tif 000005
【図４】
2022001801.tif 000006
【図５】
2022001801.tif 000007
【図６】
2022001801.tif 000008
【図７】
2022001801.tif 000009
【図８】
2022001801.tif 000010
【図９】
2022001801.tif 000011
【図１０】
2022001801.tif 000012
【図１１】
2022001801.tif 000013
【図１２】
2022001801.tif 000014